(57)【要約】      （修正有）【課題】運搬、設置が容易で、かつ備蓄に適する仮設信号機を提供する。【解決手段】仮設信号機は、所定のアルゴリズムに従って点灯、消灯する信号を表示可能なタブレットコンピュータ９０と、タブレットコンピュータ９０が収納されて取り付けられるケース１とを備えている。ケース１は、平板状の底面板１１と底面板１１の外周部に垂直に固定された側面板１２とからなるとともに内部にタブレットコンピュータ９０を収納可能な第１収納室が形成されたケース本体１０と、第１収納室を覆うとともに開放可能な蓋体１５とを有している。また、蓋体１５の中央部には光を透過する透明板１５ａが設けられ、タブレットコンピュータ９０は、スクリーン全体が外部より視認可能に帯体により取り付けられる。【選択図】図１
2020197902.tif 000002
【特許請求の範囲】
【請求項１】
所定のアルゴリズムに従って信号を点灯、消灯させる仮設信号機において、
該信号を表示可能なタブレットコンピュータ又はスマートフォンと、該タブレットコンピュータ又は該スマートフォンが収納されて取り付けられるケースと、を備え、
該ケースは、平板状の底面板と該底面板の外周部に垂直に固定された側面板とからなるとともに内部に該タブレットコンピュータ又は該スマートフォンを収納可能な第１収納室が形成されたケース本体と、該第１収納室を覆うとともに開放可能な蓋体とを有し、
該底面板又は該蓋体の中央部には光を透過する透明部材が設けられ、該透明部材には該タブレットコンピュータ又は該スマートフォンのスクリーン全体が外部より視認可能に取付部材により取り付けられることを特徴とする仮設信号機。
【請求項２】
前記透明部材は、平板状、又は片面が凸面状の透明板であることを特徴とする請求項１記載の仮設信号機。
【請求項３】
前記取付部材は、弾性体を有し、両端が前記底面板又は前記蓋体に固定された幅広の帯体であることを特徴とする請求項１又は２記載の仮設信号機。
【請求項４】
前記ケースは、長尺状の支柱の上部に固定され、所定高さで支えられることを特徴とする請求項１乃至３のいずれか１項記載の仮設信号機。
【請求項５】
前記支柱は、複数の柱体が長手方向に接続されてなり、
該支柱の下部は、該支柱を垂直に立設させるベースに固定され、
前記ベースは略直方体状をなし、平板状の底板と該底板の外周部に垂直に固定された壁板とを有するとともに内部に第２収納室が形成されたベース本体と、該第２収納室を覆い得る蓋板とを有し、
該第２収納室には、少なくとも前記ケースと複数の前記柱体とが収納され、該壁板には取手が取り付けられていることを特徴とする請求項４記載の仮設信号機。
【請求項６】
前記柱体は、円筒状の円筒部と、該円筒部の内径よりわずかに小さい外径を有する円筒状の接続部とが軸を一致させて段付状に固着されてなり、
一つの該柱体の該接続部が他の該柱体の該円筒部に挿嵌されて前記支柱が形成されることを特徴とする請求項５記載の仮設信号機。
【請求項７】
前記タブレットコンピュータ又は前記スマートフォンの背面側の前記蓋体又は前記底面板には、該タブレットコンピュータ又は該スマートフォンの背面カメラにより前記ケースの背面側が撮影可能な透明板が設けられていることを特徴とする請求項１乃至６のいずれか１項記載の仮設信号機。
【発明の詳細な説明】
【技術分野】
【０００１】
本発明は、所定のアルゴリズムに従って信号を点灯、消灯させる仮設信号機に関する。
【背景技術】
【０００２】
道路工事や事故等により、車道が片側一車線による双方向交互通行に規制されることがある。この際、双方向交互通行区間の両端に仮設信号機を設置して車両の通行の安全を確保している。このような仮設信号機として、特許文献１に示されたものがある。この仮設信号機は、双方向交互通行区間の双方の入口に車両がないときは、双方の入口の信号を赤信号とし、双方向交互通行区間の一方の入口に車両が来たことを感知すると、この一方の入口の信号を青信号、他方の入口の信号を赤信号とし、双方向交互通行区間の双方の入口に車両が来たときは、双方の信号を所定時間は赤信号とし、所定時間経過後、双方の信号を青信号と赤信号とに交互に変更するものである。
【０００３】
この仮設信号機によれば、双方向交互通行区間で車両の有無に応じて、赤信号と青信号との切り替えを行うため、信号機の制御が実際の車両の通行状況に合ったものとなる。これにより、車両の渋滞を低減し、渋滞した車両からの排出ガス、騒音、時間と燃料の消費を軽減することができる。
【０００４】
また、交差点の信号機を交換する工事等の場合にも、仮設信号機を設置して車両の通行の安全を確保している。このような仮設信号機として、特許文献２に示されたものがある。この仮設信号機は、仮設信号柱の上部に複数の信号灯が備えられている。そして、仮設信号機は仮設信号機搭載車両に搭載され、仮設信号機搭載車両には仮設信号柱の軸方向が垂直となるように角度を調整可能な信号柱傾斜装置が備えられている。
【０００５】
この仮設信号機搭載車両に搭載された仮設信号機によれば、車道に対する占有範囲を小さくすることができる。すなわち、仮設信号機搭載車両の片側車輪を歩道に乗り上げて駐車すると、車両の設置面は水平方向に対して傾斜するので、仮設信号機の仮設信号柱は垂線方向に対して斜めに傾く。しかし、信号柱傾斜装置によって仮設信号柱の軸方向が垂直となるように調整することができる。このように、この仮設信号機を搭載した仮設信号機搭載車両の一部を歩道に乗り上げて使用することができるため、車道に対する占有範囲を小さくすることができる。
【先行技術文献】
【特許文献】
【０００６】
【特許文献１】特開２００３−９９８８７号公報
【特許文献２】特開２０１２−２３０５１５号公報
【発明の概要】
【発明が解決しようとする課題】
【０００７】
しかし、上記特許文献１、２を含む従来の仮設信号機では、一般に、機器自体が大型で重いものになっている。また、仮設信号機の親機と子機との間や車両検知センサを接続する配線が必要になる場合もある。そのため、運搬、設置のために運搬車が必要であったり複数人を要したりして運搬、設置作業が面倒である上、広い保管スペースも必要である。
【０００８】
また、仮設信号機の電源としてバッテリーを使用している場合、放電による蓄電量の減少を防ぐための管理が必要であり、常時備蓄するには不向きである。そのため、必要に応じ仮設信号機をレンタルするのが通常であり、仮設信号機の需要が集中した場合等、迅速な対応が困難な場合が生じ得る。
【０００９】
本発明はかかる従来の問題点に鑑みてなされたものであり、運搬、設置が容易で、かつ備蓄に適する仮設信号機を提供するものである。
【課題を解決するための手段】
【００１０】
上記の課題を解決するために、請求項１に係る仮設信号機の特徴は、所定のアルゴリズムに従って信号を点灯、消灯させる仮設信号機において、該信号を表示可能なタブレットコンピュータ又はスマートフォンと、該タブレットコンピュータ又は該スマートフォンが収納されて取り付けられるケースと、を備え、該ケースは、平板状の底面板と該底面板の外周部に垂直に固定された側面板とからなるとともに内部に該タブレットコンピュータ又は該スマートフォンを収納可能な第１収納室が形成されたケース本体と、該第１収納室を覆うとともに開放可能な蓋体とを有し、該底面板又は該蓋体の中央部には光を透過する透明部材が設けられ、該透明部材には該タブレットコンピュータ又は該スマートフォンのスクリーン全体が外部より視認可能に取付部材により取り付けられることである。
【００１１】
請求項２に係る仮設信号機の特徴は、前記透明部材は、平板状、又は片面が凸面状の透明板であることである。
【００１２】
請求項３に係る仮設信号機の特徴は、前記取付部材は、弾性体を有し、両端が前記底面板又は前記蓋体に固定された幅広の帯体であることである。
【００１３】
請求項４に係る仮設信号機の特徴は、前記ケースは、長尺状の支柱の上部に固定され、所定高さで支えられることである。
【００１４】
請求項５に係る仮設信号機の特徴は、前記支柱は、複数の柱体が長手方向に接続されてなり、該支柱の下部は、該支柱を垂直に立設させるベースに固定され、前記ベースは略直方体状をなし、平板状の底板と該底板の外周部に垂直に固定された壁板とを有するとともに内部に第２収納室が形成されたベース本体と、該第２収納室を覆い得る蓋板とを有し、該第２収納室には、少なくとも前記ケースと複数の前記柱体とが収納され、該壁板には取手が取り付けられていることである。
【００１５】
請求項６に係る仮設信号機の特徴は、前記柱体は、円筒状の円筒部と、該円筒部の内径よりわずかに小さい外径を有する円筒状の接続部とが軸を一致させて段付状に固着されてなり、一つの該柱体の該接続部が他の該柱体の該円筒部に挿嵌されて前記支柱が形成されることである。
【００１６】
請求項７に係る仮設信号機の特徴は、前記タブレットコンピュータ又は前記スマートフォンの背面側の前記蓋体又は前記底面板には、該タブレットコンピュータ又は該スマートフォンの背面カメラにより前記ケースの背面側が撮影可能な透明板が設けられていることである。
【発明の効果】
【００１７】
請求項１に係る仮設信号機においては、信号を表示可能なタブレットコンピュータ又はスマートフォンと、タブレットコンピュータ又はスマートフォンが収納されて取り付けられるケースとを備えている。そして、タブレットコンピュータ又はスマートフォンはケースの第１収納室内に収納され、ケースの底面板又は蓋体の中央部に設けられた透明部材を通してタブレットコンピュータ又はスマートフォンのスクリーン全体が外部より視認可能に取付部材により透明部材に取り付けられている。すなわち、タブレットコンピュータ又はスマートフォンのスクリーン全体が透明部材に当接して取り付けられている。
【００１８】
ここで、タブレットコンピュータ又はスマートフォンは小型、軽量、かつ調達容易であるばかりでなく、親機と子機との間の配線を必要とせずに所定のアルゴリズムに従って信号を点灯、消灯させることができる。そのため、仮設信号機全体を小型で軽量、かつ構造を簡単にすることができ、運搬、設置作業が容易である上、比較的狭いスペースがあれば保管することができる。また、電源としてバッテリーを使用しないのであれば、放電による蓄電量の減少を防ぐための管理が不要となり、常時備蓄することも容易である。これにより、事故や災害時のような緊急時であっても、即座に仮設信号機を設置することができる。したがって、この仮設信号機によれば、運搬、設置が容易で、かつ備蓄に適している。
【００１９】
なお、この仮設信号機では、タブレットコンピュータ又はスマートフォンのスクリーンに信号を点灯、消灯させているため、電球やＬＥＤ、配線等が不要であり、さらに機器全体として小型で軽量、かつ構造を簡単にできることから安価なものとすることができる。また、この仮設信号機では、タブレットコンピュータ又はスマートフォンが収納されて取り付けられたケースを信号機の腕金等の建造物にベルトや針金を用いて直接取り付けることができる他、地上に立設された支柱の先端に取り付けることもできる。
【００２０】
請求項２に係る仮設信号機においては、透明部材が平板状、又は片面が凸面状の透明板である。透明部材が平板状の透明板である場合は安価であり、片面が凸面状の透明板である場合はタブレットコンピュータ又はスマートフォンのスクリーンに表示された信号が拡大される。
【００２１】
請求項３に係る仮設信号機においては、取付部材は、弾性体を有し、両端が底面板又は蓋体に固定された幅広の帯体であるため、タブレットコンピュータ又はスマートフォンを底面板又は蓋体の所定の位置に確実に取り付けることができる。なお、帯体全体が弾性体であってもよい。また、帯体には下端部分が底面板又は蓋体に固定された袋状のものも含まれる。さらに、弾性体として、例えば、ゴムを採用することができる。
【００２２】
請求項４に係る仮設信号機においては、ケースが長尺状の支柱の上部に固定されて所定高さで支えられる。そのため、ケースを取り付ける場所を探す必要がなく、仮設信号機を直ちに設置することができる。
【００２３】
請求項５に係る仮設信号機においては、複数の柱体が長手方向に接続して支柱が形成され、支柱の下部がベースに固定されて支柱が垂直に立設される。また、略直方体状のベースは、平板状の底板と底板の外周部に垂直に固定された壁板とを有するとともに内部に第２収納室が形成されたベース本体と、第２収納室を覆い得る蓋板とを有している。このベース本体の第２収納室内には、少なくともケースと複数の柱体とが収納される。そして、ベース本体に蓋板を取り付けた後、壁板に取り付けられた取手を持てば、容易に運搬することができる。このベース本体の第２収納室内からケースと複数の柱体とを取り出して組み立てれば、容易に仮設信号機が完成する。なお、第２収納室内には、ケース、複数の柱体の他、仮設信号機を設置する場合に必要となる方向指示板等も収納しておくこともできる。
【００２４】
請求項６に係る仮設信号機においては、柱体は、円筒状の円筒部と、円筒部の内径よりわずかに小さい外径を有する円筒状の接続部とが軸を一致させて段付状に固着されている。そして、一つの柱体の接続部が他の柱体の円筒部に、順次挿嵌されて支柱が形成されるため、支柱の組み立て、分解が容易にできる。
【００２５】
請求項７に係る仮設信号機においては、ケースの背面側の蓋体又は底面板には、タブレットコンピュータ又はスマートフォンの背面カメラによりケースの背面側が撮影可能な透明板が設けられている。これにより、タブレットコンピュータ又はスマートフォンの前面だけでなく背面も撮影可能となるため、防犯カメラの役目も果たすことができ、資材等の盗難を抑制することができる。
【図面の簡単な説明】
【００２６】
【図１】実施形態の仮設信号機の斜視図。
【図２】実施形態の仮設信号機に係り、タブレットコンピュータ又はスマートフォンが取り付けられた蓋体を開けたケースの斜視図。
【図３】実施形態の仮設信号機に係り、別の帯体によりタブレットコンピュータ又はスマートフォンが取り付けられた蓋体を開けたケースの斜視図。
【図４】実施形態の仮設信号機に係り、タブレットコンピュータ又はスマートフォンが取り付けられたケース本体から蓋体を取り外した別のケースの斜視図。
【図５】実施形態の仮設信号機に係り、柱体の斜視図。
【図６】実施形態の仮設信号機に係り、ベースボックスの斜視図。
【図７】実施形態の仮設信号機に係り、ベースボックスの斜視図。
【図８】実施形態の仮設信号機に係り、仮設信号機の設置例を示す図。
【図９】実施形態の仮設信号機に係り、仮設信号機の動作例のフローチャート。
【図１０】実施形態の仮設信号機に係り、仮設信号機の別の動作例のフローチャート。
【発明を実施するための形態】
【００２７】
本発明に係る仮設信号機を具体化した実施形態を図面に基づいて以下に説明する。図１は実施形態の仮設信号機の斜視図であり、実際に設置された状態を示している。図１に示すように、この仮設信号機は、所定のアルゴリズムに従って点灯、消灯させる信号を表示可能なタブレットコンピュータ９０が収納されて取り付けられるケース１に、ケース１が所定高さで支えられる支柱２と、支柱２が立設されるベース３とが取り付けられている。このタブレットコンピュータ９０、ケース１、支柱２、及びベース３は、取り外し可能になっているため、運搬、保管が容易である。また、仮設信号機を組み立てる場合においては、タブレットコンピュータ９０のスクリーンに信号を点灯、消灯させているため、親機と子機との間等の配線が不要となり、簡単かつ短時間で組み立てることができる。
【００２８】
この仮設信号機が実際に設置される場合には、ベース３の第２収納室３０ａ内にコンクリートブロック９５が置かれ、仮設信号機が倒れるのを防止している。ただし、状況に応じ、コンクリートブロック９５を２段積みにしてもよいし、コンクリートブロック９５の替わりに重石となるものを置いてもよい。なお、本実施形態において、タブレットコンピュータ９０の替わりにスマートフォンを用いてもよい。
【００２９】
図１から図３に示すように、ケース１はケース本体１０と蓋体１５とを有し、直方体状をなしている。ケース本体１０は、平板状の底面板１１と底面板１１の外周部全体に垂直に固定された側面板１２とからなるとともに、内部にタブレットコンピュータ９０を収納可能な第１収納室１０ａが形成されている。蓋体１５は長方形の板状をなし、図示しない蝶番により、第１収納室１０ａを密閉するとともに開放可能な回転開閉式になっている。この蓋体１５を閉めパッチン錠１３を掛ければ、第１収納室１０ａを密閉することができる。また、パッチン錠１３を外し蓋体１５を開ければ、第１収納室１０ａを開放することができる。なお、ケース本体１０の開口部分の外縁全体であって蓋体１５と当接する部分には図示しないパッキンが設けられ、これにより第１収納室１０ａを完全に密閉して第１収納室１０ａへの雨や雪の侵入を防止している。また、第１収納室１０ａ内には、必要に応じてモバイルバッテリー等の電源を収納し、この電源からタブレットコンピュータ９０に電源を供給することもできる。
【００３０】
また、蓋体１５の表面には、日除け１６が設けられ、直射日光によるタブレットコンピュータ９０のスクリーンの見難さを防止するとともに、雨滴や雪の付着を抑制している。この日除け１６は、後述するベース３の第２収納室３０ａ内に効率的に収納するため、取り外しできるようになっている。そして、日除け１６を蓋体１５に取り付ける場合は、図２、図３に示すように、蓋体１５の取付孔１５ｂに日除け１６の左右両端に形成された鉤状の取付爪１６ａを挿入した後、日除け１６全体を下げれば、容易に取り付けることができる。取り外す場合は、日除け１６全体を持ち上げた後、蓋体１５から離せば、容易に取り外すことができる。なお、本実施形態においては、日除け１６を取り外し可能にしているが、ベース３の第２収納室３０ａ内に効率的に収納できるように、折りたたみ可能にしてもよい。
【００３１】
さらに、蓋体１５の中央部には透明部材としての透明板１５ａが設けられている。透明板１５ａには、タブレットコンピュータ９０のスクリーン全体が外部より視認可能に、取付部材としての帯体１８、１９により透明板１５ａの裏面に取り付けられている。すなわち、タブレットコンピュータ９０のスクリーン全体は透明板１５ａに当接している。この帯体１８、１９は、両端が蓋体１５に固定され、弾性体を有する幅広のものである。ただし、図２に示すように、帯体１８は全体が弾性体としてのゴム帯であってもよく、これによりタブレットコンピュータ９０が透明板１５ａの所定の位置に確実に取り付けられる。なお、この場合、タブレットコンピュータ９０は、蓋体１５の裏面に設けられた載置台１７に載置される。また、図２に示す帯体１８の替わりに、図３に示される帯体１９を用いることもできる。帯体１９は、両端、及び下端部分が蓋体に固定され、上端部分に開口を有する袋状をなし、樹脂製のネット１９ａに弾性体としての３本のゴム１９ｂが取り付けられたものである。これによっても、タブレットコンピュータ９０が透明板１５ａの所定の位置に確実に取り付けられる。
【００３２】
また、図２、図３に示すように、ケース１の底面板１１には、タブレットコンピュータ９０の背面カメラ９０ａによりケース１の背面側が撮影可能なように透明板１１ａが設けられている。これにより、タブレットコンピュータ９０の前面だけでなく背面も撮影可能となる。さらに、底面板１１の中央下部の外側には、中空の支柱固定管１４が取り付けられている。この支柱固定管１４に支柱２の最上段の後述する柱体２０の接続部２２（図５参照）が挿嵌され、ケース１が支柱２の上端部に取り付けられて所定高さで支えられる。
【００３３】
また、図２、図３に示すケース１の替わりに、図４に示すケース４を用いることもできる。ケース１とケース４とは、前面と背面とが反対になっている。ケース４はケース本体４０と蓋体４５とを有し、直方体状をなしている。ケース本体４０は、平板状の底面板４１と底面板４１の外周部全体に垂直に固定された側面板４２とからなるとともに、内部にタブレットコンピュータ９０を収納可能な第１収納室４０ａが形成されている。蓋体４５は長方形の板状をなし、図示しない取付ボルトにより第１収納室４０ａを密閉可能になっている。第１収納室４０ａ内には、必要に応じてモバイルバッテリー等の電源を収納し、この電源からタブレットコンピュータ９０に電源を供給することもできる。
【００３４】
また、ケース本体４０の表面には、図２、図３に示した日除け１６が設けられている。この日除け１６は、底面板４１の取付孔４１ｂに日除け１６の左右両端に形成された鉤状の取付爪１６ａを挿入して取り付けられる。その他、図２、図３に示した日除け１６と同様の作用、効果である。
【００３５】
さらに、底面板４１の中央部には透明部材としての透明板４１ａが設けられている。透明板４１ａには、タブレットコンピュータ９０のスクリーン全体が外部より視認可能に、取付部材としての帯体１８により透明板４１ａの裏面に取り付けられている。この帯体１８は、両端が底面板４１に固定され、全体が弾性体としてのゴム帯であり、タブレットコンピュータ９０が透明板４１ａの所定の位置に確実に取り付けられる。なお、この場合、タブレットコンピュータ９０は、底面板４１の裏面に設けられた載置台１７に載置される。
【００３６】
また、蓋体４５には、タブレットコンピュータ９０の背面カメラ９０ａによりケース１の背面側が撮影可能なように透明板４５ａが設けられている。これにより、タブレットコンピュータ９０の前面だけでなく背面も撮影可能となる。さらに、蓋体４５の中央下部の外側には、中空の支柱固定管１４が取り付けられている。この支柱固定管１４に支柱２の最上段の後述する柱体２０の接続部２２（図５参照）が挿嵌され、ケース１が支柱２の上端部に取り付けられて所定高さで支えられる。
【００３７】
図５に示すように、柱体２０は、円筒状の円筒部２１と、円筒部２１の内径よりわずかに小さい外径を有する円筒状の接続部２２とが軸を一致させて段付状に固着されている。そして、一つの柱体２０の接続部２２が他の柱体２０の円筒部２１に順次挿嵌されて支柱２が形成される。なお、本実施形態においては、４本の柱体２０が長手方向に接続されて支柱２が形成されるものとしているが、ケースの必要とされる地上からの高さにより、柱体２０の本数を決定することができる。
【００３８】
図６はベース３の斜視図である。ベース３はベース本体３０と蓋板３５とを有し、直方体状をなしている。ベース本体３０は、平板状の底板３１と底板３１の外周部全体に垂直に固定された壁板３２とからなるとともに、内部に第２収納室３０ａが形成されている。底板３１の四隅には、水抜き用の透孔３１ａが開けられ、雨天時に仮設信号機を使用した場合に、第２収納室３０ａに雨水が溜まるのを防ぐことができる。また、壁板３２の外側面には取手３３が取り付けられ、この壁板３２と対向する壁板３２の外側面には、中空の支柱固定管３４が取り付けられている。この支柱固定管３４に支柱２の最下段の柱体２０の円筒部２１が挿嵌され、支柱２がベース３に取り付けられて垂直に立設される。蓋板３５は長方形の板状をなし、取付ボルト３５ａで壁板３２に取り付けることにより、ベース本体３０の上方に形成された開口部を覆うことができる。
【００３９】
図７は、ベース３の第２収納室３０ａにケース１、日除け１６、４本の柱体２０を収納した斜視図である。この第２収納室３０ａには、これらの他、方向指示板９１、標識板９２等も収納してもよい。このように、ベース３の第２収納室３０ａに少なくてもケース１、日除け１６、４本の柱体２０を収納することができるため、底板３１の面積があれば十分に保管でき、省スペースを実現することができる。このベース本体３０に蓋板３５を取付ボルト３５ａにより取り付けた後、壁板３２に取り付けられた取手３３を持てば、容易に運搬することができる。また、ボルト３５ａを取り外し蓋板３５を外した後、ベース本体３０の第２収納室３０ａ内からケース１、日除け１６、複数の柱体２０を取り出して組み立てれば、容易に図１に示す仮設信号機が完成する。図１に示すように、底板３１の面積があれば仮設信号機を設置できるため、設置時においても省スペースを実現することができる。
【００４０】
次に、以上の構成をした仮設信号機の使用例について説明する。図８は、この仮設信号機の設置例である。図８（１）は、道路工事区間８０により、車道が片側一車線による双方向交互通行に規制された場合の例である。この場合、仮設信号機は、この双方向交互通行区間の双方の入口８１、８２に設置される。また、図８（２）は、交差点の信号機８５を交換する工事の場合の例である。この場合は、交差点の中央部８６に仮設信号機が４台設置される。
【００４１】
図９は、上記のように設置された仮設信号機の動作例である。ただし、この場合、すべてのタブレットコンピュータ９０は通信機能を使用していないものとする。まず、図９に示すプログラムが実行される前に、作業員は、すべてのタブレットコンピュータ９０に信号点灯のためのデータを入力する。この場合のデータには点灯開始時刻、各信号の点灯時間、点灯順序等があり、各タブレットコンピュータ９０の間で調整を行って入力する必要がある。データを入力した後、タブレットコンピュータ９０をケース１に収納して取り付け、図９に示すプログラムが実行される。
【００４２】
図９に示すプログラムが実行されると、赤信号ともに作業中の文字が点灯される（ステップＳ１）。これにより、すべての仮設信号機が設置されるまでの間、タブレットコンピュータ９０は赤信号のままであり、設置時間中の安全が確保される。そして、点灯開始時刻になると（ステップＳ２）、入力したデータに従って、信号の点灯、消灯が行われる。これにより、車両の通行の安全が確保される。
【００４３】
次に、仮設信号機の別の動作例について図１０を用いて説明する。ただし、この場合、すべてのタブレットコンピュータ９０は、インターネットを介して図示しないサーバに通信可能になっている。また、図示しない管理コンピュータ（スマートフォン、タブレットコンピュータ、パーソナルコンピュータ等）もインターネットを介してサーバに通信可能になっている。さらに、ケース１の第１収納室１０ａ内にモバイルバッテリー等の電源を収納し、この電源からタブレットコンピュータ９０に電源を供給することが望ましい。
【００４４】
まず、図１０に示すプログラムが実行される前に、作業員は、管理コンピュータにより点灯開始時刻、各信号の点灯時間、点灯順序等のデータを作成し、インターネットを介してサーバにこのデータを転送（アップロード）しておく。その後、仮設信号機のタブレットコンピュータ９０により図１０に示すプログラムが実行されと、ステップＳ１０において、インターネットを介してサーバから点灯開始時刻、各信号の点灯時間、点灯順序等のデータがタブレットコンピュータ９０に転送（ダウンロード）される。
【００４５】
ステップＳ１１において、赤信号ともに作業中の文字が点灯される。これにより、すべての仮設信号機が設置されるまでの間、タブレットコンピュータ９０は赤信号のままであり、設置時間中の安全が確保される。そして、点灯開始時刻になると（ステップＳ１２）、ダウンロードしたデータに従って、信号の点灯、消灯が行われる（ステップＳ１３）。これにより、車両の通行の安全が確保される。なお、交通量の変化により、作業員が交通量に適した各信号の点灯時間等のデータを管理コンピュータから適宜アップロードする。
【００４６】
また、タブレットコンピュータ９０は、所定時間経過ごとに各信号の点灯時間等のデータをダウンロードして、データを書き換える（ステップＳ１４、Ｓ１５）。そして、書き換えられたデータに従って、信号の点灯、消灯が行われる（ステップＳ１３）。これにより、交通量に応じた信号の点灯時間が確保され、渋滞の発生を防止することができる。これらステップＳ１３、Ｓ１４、Ｓ１５が継続して実行される。
【００４７】
なお、上記プログラムと同時に、一定時間ごとにタブレットコンピュータ９０の前面カメラの映像をアップロードするプログラムを実行させておくこともできる。これにより、仮設信号機から離れた場所であっても、作業員は管理コンピュータにより映像をダウンロードして交通量を知ることができる。そして、この映像を基に、作業員は交通量に適した各信号の点灯時間等のデータを作成してアップロードすることができる。これにより、交通量に応じた信号の点灯時間が確保され、渋滞の発生を防止することができる。また、タブレットコンピュータ９０の前面カメラだけでなく背面カメラ９０ａの映像もアップロードすることもできる。この場合は、防犯カメラの役目も果たすことができ、資材等の盗難を抑制することができる。
【００４８】
実施形態の仮設信号機においては、信号を表示可能なタブレットコンピュータ９０と、タブレットコンピュータ９０が収納されて固着されるケース１、４とを備えている。このケース１は支柱２により所定高さで支えられ、支柱２はベース３により立設されている。そして、タブレットコンピュータ３０は、ケース１、４の第１収納室１０ａ、４０ａ内に収納されている。そして、タブレットコンピュータ３０は、第１収納室１０ａ、４０ａを開放可能な蓋体１５、又は底面板４１の中央部に設けられた透明板１５ａ、４１ａを通して外部より視認可能に、帯体１８、１９により蓋体１５、又は底面板４１に取り付けられている。
【００４９】
タブレットコンピュータ３０は小型、軽量、かつ調達容易であるばかりでなく、親機と子機との間の配線を必要とせずに所定のアルゴリズムに従って信号を点灯、消灯させることができる。そのため、仮設信号機全体を小型で軽量、かつ構造を簡単にすることができ、運搬、設置作業が容易である上、比較的狭いスペースがあれば保管することができる。また、電源としてバッテリーを使用しないのであれば、放電による蓄電量の減少を防ぐための管理が不要となり、常時備蓄することも容易である。これにより、事故や災害時のような緊急時であっても、即座に仮設信号機を設置することができる。したがって、この仮設信号機によれば、運搬、設置が容易で、かつ備蓄に適している。なお、この仮設信号機では、タブレットコンピュータ３０に信号を点灯、消灯させているため、電球やＬＥＤ、配線等が不要であり、さらに機器全体として小型で軽量、かつ構造を簡単にできることから安価なものとすることができる。
【００５０】
また、この仮設信号機では、透明板１５ａ、４１ａが平板状であり安価である。この仮設信号機では、取付部材が弾性体を有し、両端が蓋体に固定された幅広の帯体１８、１９であるため、タブレットコンピュータ３０を蓋体１５、底面板４１の所定の位置に確実に取り付けることができる。さらに、この仮設信号機では、ケース１、４が長尺状の支柱２の上部に固定されて所定高さで支えられる。そのため、ケース１、４を取り付ける場所を探す必要がなく、仮設信号機を直ちに設置することができる。
【００５１】
また、この仮設信号機では、支柱２が複数の柱体２０を長手方向に接続して形成されている。また、直方体状のベース３は、平板状の底板３１と底板３１の外周部全体に垂直に固定された壁板３２とを有するとともに内部に第２収納室３０ａが形成されたベース本体３０と、ベース本体３０の上方に形成された開口部を覆い得る蓋板３５とを有している。このベース本体３０の第２収納室３０ａ内には、少なくともケース１、４と複数の柱体２０とが収納される。そして、ベース本体３０に蓋板３５を取り付けた後、壁板３２に取り付けられた取手３３を持てば、容易に運搬することができる。このベース本体３０の第２収納室３０ａ内からケース１、４と複数の柱体２０とを取り出して組み立てれば、容易に仮設信号機が完成する。なお、第２収納室３０ａ内には、ケース１、４、複数の柱体２０の他、仮設信号機を設置する場合に必要となる方向指示板９１等も収納しておくこともできる。
【００５２】
さらに、この仮設信号機では、柱体２０が円筒状の円筒部２１と、円筒部２１の内径よりわずかに小さい外径を有する円筒状の接続部２２とが軸を一致させて段付状に固着されている。そして、一つの柱体２０の接続部２２が他の柱体２０の円筒部２１に、順次挿嵌されて支柱２が形成されるため、支柱２の組み立て、分解が容易にできる。
【００５３】
また、この仮設信号機では、ケース１の底面板１１、ケース４の蓋体４５には、タブレットコンピュータ９０の背面カメラ９０ａによりケース１、４の背面側が撮影可能な透明板１１ａ、４５ａが設けられている。これにより、タブレットコンピュータ９０の前面だけでなく背面も撮影可能となるため、防犯カメラの役目も果たすことができ、資材等の盗難を抑制することができる。
【００５４】
以上、本発明の仮設信号機を実施形態に即して説明したが、本発明はこれらに制限されるものではなく、本発明の技術的思想に反しない限り、適宜変更して適用できることはいうまでもない。例えば、本実施形態においては、ケース１、４が長尺状の支柱２の上部に固定されて所定高さで支えられるが、ケース１、４を信号機の腕金等の建造物にベルトや針金を用いて直接取り付けることができる。また、本実施形態においては、ケース１、４の側面板１２、４２は底面板１１、４１の外周部である４面全体に垂直に固定されているが、必ずしも底面板１１、４１の外周部全体に固定されていなくてもよく、下面を除く３面だけであってもよい。
【符号の説明】
【００５５】
１、４…ケース、２…支柱、３…ベース、１０、４０…ケース本体、１０ａ、４０ａ…第１収納室、１１、４１…底面板、１１ａ、４１ａ…透明部材（透明板）、１２、４２…側面板、１５、４５…蓋体、１８、１９…取付部材（帯体）、１９ｂ…弾性体（ゴム）、２０…柱体、２１…円筒部、２２…接続部、３０…ベース本体、３０ａ…第２収納室、３１…底板、３２…壁板、３３…取手、３５…蓋板。
【図１】
2020197902.tif 000003
【図２】
2020197902.tif 000004
【図３】
2020197902.tif 000005
【図４】
2020197902.tif 000006
【図５】
2020197902.tif 000007
【図６】
2020197902.tif 000008
【図７】
2020197902.tif 000009
【図８】
2020197902.tif 000010
【図９】
2020197902.tif 000011
【図１０】
2020197902.tif 000012